(57)【要約】【課題】給水配管において、水道の管理者に無断で水道メータへの通水（水道開栓）が行われることを確実に防ぎ、その上、無断通水を防ぐために行われてきた止水栓の面倒な管理を不要とすること。【解決手段】水道開栓を行うまでは、水道メータ３の流入口に、逆止弁４を、流入口から水道メータ３への水の流れを止める向きに取り付けておき、水道開栓を行うときに、前記逆止弁４を流入口から取り出し、流入口から水道メータ３への水の流れを前記逆止弁４が止めないよう、その取り付け向きを反転させてから、水道メータ３の流出口に前記逆止弁４を付け直す。  これにより、止水栓１のハンドル１４を取り外して管理しなくても、無断で水道開栓されるのを防ぐことができ、ハンドル等の着脱作業や面倒な管理業務が不要となる。【選択図】図３
2012057323.tif 000002
【特許請求の範囲】
【請求項１】
水道利用者への給水を管理するための給水制御方法であって、
給水を開始するための水道開栓を行うまでは、水道メータの流入口側か流出口側のいずれか一方に、逆止弁を、流入口から水道メータへの水の流れを止める向きに取り付け、
前記水道開栓を行うときに、水道メータの流入口側か流出口側のいずれか一方に、前記逆止弁を、流入口から水道メータに水が流れる向きに付け直すことを特徴とする給水制御方法。
【請求項２】
水道利用者への給水を管理するための給水制御方法であって、
給水を開始するための水道開栓を行うまでは、水道メータの流入口に、逆止弁を、流入口から水道メータへの水の流れを止める向きに取り付け、
前記水道開栓を行うときに、水道メータの流出口に、前記逆止弁を、流入口から水道メータに水が流れる向きに付け直すことを特徴とする給水制御方法。
【請求項３】
前記逆止弁がパッキン一体型逆止弁であることを特徴とする請求項１又は２に記載の給水制御方法。
【発明の詳細な説明】
【技術分野】
【０００１】
本発明は、水道利用者への給水を管理するための給水制御方法に関し、特に、断水時などに発生する逆流を防ぐための逆止弁を使用した給水制御方法に関するものである。
【背景技術】
【０００２】
従来から、浄水処理された水道水は、配水池等から配水管によって各地域まで送られ、そこからさらに、配水管から枝分かれしている給水管によって、多くの水道利用者へ供給されている。
【０００３】
給水管には、水道の使用量を測定するための水道メータが接続されている。水道メータを設置するときは、通常は、その上流側に止水栓を、下流側に逆止弁を取り付ける。その場合、例えば、図３（ｂ）に示すように、ハンドル式ボール止水栓１、水道メータ３、パッキン一体型逆止弁４、の順で上流から接続配管される。
【０００４】
ここで、逆止弁は、断水の時などに下流から水が逆流して水道メータに流れ込むのを防ぐ目的で取り付けられ、例えば、水道メータの流出口に内蔵されるものが開示されている。（特許文献１参照）
【０００５】
ところで、宅地の造成やマンションの新築等に伴って給水工事を行った場合、水道利用者が入居するまでは、水道メータに水が流れないように止水栓を閉栓し、無断で開栓できないようにする必要がある。これは、水道利用者への給水を開始する操作（水道開栓）が水道管理者に無断で行われると、適正な水道使用量の測定等が困難となり、水道管理上の問題が生じるからである。
そのため、止水栓の閉栓時に、水道の管理者が、止水栓から操作ハンドルを取り外して保管することがある。また、取り外したハンドルを簡単に取り付けられないようにするために、図６に示すように、ハンドルの取り付け箇所をカバーで塞ぐことも行われている。
【０００６】
この図では、止水栓８の上部にキャップ９を備え、そのキャップ９の上部に保護キャップ１０を螺合して、栓棒１１をカバーしている。
そして、止水栓を開閉するための操作具として、栓棒押さえ１２、ハンドル軸１３、ハンドル１４が一体化され、操作する時以外は、水道の管理者によって別の場所に保管されている。
【０００７】
また、無断で開栓（通水）させない方法として、開栓と閉栓が可能なハンドルと、閉栓のみが可能なハンドルの２種類を用意する方法も開示されている。（特許文献２参照）
【０００８】
これによると、水道利用者や工事業者には、閉栓のみが可能なハンドルを渡して、水漏れの発生時や水道工事の開始時に、閉栓（止水）作業だけは出来るようにしておき、工事完了後に、開栓も可能なハンドルを使って、水道の管理者が開栓（通水）を行うことになる。
この方法は、必要がある時に直ぐに自ら閉栓することができるので、水道利用者や工事業者にとって便利であり、また、水道開栓が無断で行われることがないので、水道の管理者にとっても有益である。
【先行技術文献】
【特許文献】
【０００９】
【特許文献１】特開平１１−２０１７８５号公報
【特許文献２】特開２００７−２５５０５９号公報
【発明の概要】
【発明が解決しようとする課題】
【００１０】
しかしながら、止水栓から操作ハンドルを取り外して保管する場合、取り外したハンドルの管理業務が発生し、管理者の負担が増える。
【００１１】
また、図６に示す止水栓８は、開閉操作を行う毎に、保護キャップ１０を外して栓棒１１にハンドル軸１３を差し込み、キャップ９に栓棒押さえ１２を螺合しなければならないという不便さがあるだけでなく、キャップ９や保護キャップ１０が破損すると開閉操作が可能になることがあるため、無断で通水される恐れもあった。
【００１２】
さらに、ハンドルの取り付け箇所をカバーで塞ぐ場合、止水栓を開閉する度に、カバーを着脱しなければならない上に、外したカバーの管理も行わなければならなかった。
【００１３】
本発明は、止水栓のハンドル等を取り外して保管しなくても、水道メータへの通水や止水の管理を簡単に行うことを目的としている。
【課題を解決するための手段】
【００１４】
上記課題を解決するために、本発明の給水制御方法は、給水を開始するための水道開栓を行うまでは、水道メータの流入口側か流出口側のいずれか一方に、逆止弁を、流入口から水道メータへの水の流れを止める向きに取り付け、前記水道開栓を行うときに、水道メータの流入口側か流出口側のいずれか一方に、前記逆止弁を、流入口から水道メータに水が流れる向きに付け直すこととしたのである。
この発明によれば、止水栓のハンドルを着脱する必要がなくなり、ハンドル等の管理業務も不要となる。
【００１５】
また、本発明の給水制御方法を、給水を開始するための水道開栓を行うまでは、水道メータの流入口に、逆止弁を、流入口から水道メータへの水の流れを止める向きに取り付け、前記水道開栓を行うときに、水道メータの流出口に、前記逆止弁を、流入口から水道メータに水が流れる向きに付け直すこととすることができる。
この発明によれば、水道メータへの通水をより確実に制御できる。
【００１６】
さらに、前記逆止弁をパッキン一体型逆止弁とすることができる。
この発明によれば、逆止弁の取り外しや付け直しの作業を簡単に行うことができる。
【発明の効果】
【００１７】
この発明は、以上のように、止水栓のハンドル等の面倒な管理を行わなくても、無断で水道開栓が行われるのを防ぐことができる。
【図面の簡単な説明】
【００１８】
【図１】第１の実施形態における開栓前の配管断面図であり、（ａ）は水道メータ上流側、（ｂ）は水道メータ下流側の図である。
【図２】第１の実施形態における開栓後の配管断面図であり、（ａ）は水道メータ上流側、（ｂ）は水道メータ下流側の図である。
【図３】第１の実施形態における配管図で、（ａ）は開栓前の状態、（ｂ）は開栓後の図である。
【図４】第２の実施形態における配管図であり、（ａ）は開栓前、（ｂ）は開栓後の図である。
【図５】第３の実施形態における配管図であり、（ａ）は開栓前、（ｂ）は開栓後の図である。
【図６】従来の水道メータ上流側の配管図である。
【発明を実施するための形態】
【００１９】
以下、本発明の各実施形態を、図面に基づいて説明する。なお、各図面は、左側を配管の上流側（右側を下流側）として描かれている。
まず、第１の実施形態について、図１〜図３を使って説明する。
【００２０】
図１は、本発明の第１の実施形態における開栓前の水道メータ付近の配管断面図であり、（ａ）は水道メータの上流側、（ｂ）は水道メータの下流側の図である。
【００２１】
図１（ａ）において、３は水道メータで、流入口３１の先端の外面には雄ネジが加工されている。この雄ネジには、袋ナット５の内面の雌ネジが螺合している。
袋ナット５の上流側端部には、内向きに鍔５１が突出しており、伸縮ソケット２の下流側先端に設けた突条２１と配管の軸方向に係合している。
【００２２】
伸縮ソケット２の下流側先端と流入口３１の先端との間には、逆止弁４のパッキン部４１が挟まれている。すなわち、袋ナット５を流入口３１の雄ネジに締め込むと、鍔５１が突条２１を下流側に引き込み、伸縮ソケット２と流入口３１の間にパッキン部４１を挟んで締め付ける構造となっている。
【００２３】
逆止弁４は、いわゆるパッキン一体型逆止弁であり、主に給水管の配管接続部に使用される。このパッキン一体型逆止弁は、図１（ａ）に示すように、コイルバネと弁体４２や弁座４３等からなる筒状の弁本体部４５と、弾性材等からなる環状のパッキン部４１を一体に形成したものである。
配管への固定は、環状のパッキン部４１が両配管の端部間に挟まれて締め付けられることで行われる。つまり、配管時にパッキン部４１を挟んで締め付けることで、配管の接続部のシールと逆止弁の固定が行われる。
【００２４】
水道開栓前の逆止弁４は、弁本体部４５を上流側、パッキン部４１を下流側とした向きで取り付けられている。この逆止弁の設置向きは、逆流防止のために通常使用される場合とは反対の向きとなっている。
【００２５】
ここで、逆止弁４の弁体４２は、コイルバネの弾性によって下流側に付勢されており、この付勢と水圧が作用してコマ形状の弁体４２の外面がリング形状の弁座４３に当接し、流路を完全に遮断している。
【００２６】
伸縮ソケット２の上流側の先端２２は、止水栓１側の継ぎ手部１５に挿し込まれている。伸縮ソケット２は、先端２２が継ぎ手部１５の内面奥の縮径部１６に突き当たるまでの距離Ｌだけ押し込み代が残された状態で、固定されている。
このように、伸縮ソケット２と継ぎ手部１５の接続構造は、伸縮継手構造となっている。
従って、袋ナット５を緩めて流入口３１から外せば、継ぎ手部１５の中で伸縮ソケット２を、長さＬだけ、上流側へ移動させることができる。
【００２７】
図１（ｂ）において、流出口３２の先端の外面には雄ネジが加工されている。この雄ネジには、袋ナット５’の内面に設けた雌ネジが螺合している。
袋ナット５’の下流側端部には、内向きの鍔５２が突出しており、ソケット７の上流側先端に設けた突条７１と管軸方向に係合している。
【００２８】
ここで、流出口３２の先端と突条７１の間には、リング状のパッキン６’が挟まれていて、袋ナット５’を流出口３２の雄ネジに締め込むと、鍔５２が突条７１を上流側に引き込み、ソケット７と流出口３２の間にパッキン６’を挟んで締め付ける構造となっている。
以上が、水道開栓前の配管状態である。
【００２９】
続いて、水道開栓を行う時の操作内容を説明する。
まず、止水栓のハンドル１４を回して止水し、袋ナット５を緩めて流入口３１から外し、伸縮ソケット２を継ぎ手部１５の中で上流側に向けて軸移動させる。この時、伸縮ソケット２の下流側に挿し込まれている逆止弁４を抜き出す。
【００３０】
逆止弁４を抜き出してから、逆止弁４の代わりにリング状のパッキン６を流入口３１の先端にセットし、伸縮ソケット２を下流側に向けて軸移動させて戻し、流入口３１と突条２１の間にパッキン６を挟む。
そのまま、袋ナット５を流入口３１の雄ネジに締め込み、鍔５１で突条２１を下流側に引き出して、パッキン６を突条２１と流入口３１で挟んで締め付ける。
【００３１】
つぎに、袋ナット５’のねじ込みを緩めて、流出口３２から袋ナット５’を外す。これに伴い、流出口３２と突条７１の間に挟まれていたパッキン６’とソケット７も流出口３２から離れる。
【００３２】
流入口３１側から取り外した逆止弁４の弁本体部４５を、ソケット７の上流側先端に挿し込み、パッキン部４１が上流側となる向きで、袋ナット５’を流出口３２にねじ込み、環状のパッキン部４１を突条７１と流出口３２の間に挟んで締め付ける。
このように、開栓時の逆止弁４は、弁本体部４５を下流側、パッキン部４１を上流側とした向きで取り付けられる。この逆止弁の向きは、逆流防止のために通常使用される場合と同じ向きである。
【００３３】
逆止弁４やパッキン６の付け替えが終わり、袋ナット５、５’の締め込みが完了したら、止水栓のハンドル１４を回して通水し、水道開栓を行う。
【００３４】
続いて、水道開栓後の配管状態を説明する。
図２は、本発明の第１の実施形態における開栓後の水道メータ付近の配管断面図であり、（ａ）は、水道メータの上流側、（ｂ）は水道メータの下流側の図である。
【００３５】
袋ナット５が流入口３１の雄ネジにねじ込まれ、鍔５１が突条２１に掛かって伸縮ソケット２を下流側に引き、伸縮ソケット２の下流側先端と流入口３１の先端の間にあるパッキン６を挟み付けている。
また、袋ナット５’が流出口３２の雄ネジにねじ込まれ、鍔５２が突条７１に掛かってソケット７を上流側に引き、ソケット７の上流側先端と流出口３２の先端の間にあるパッキン部４１を挟み付けている。
【００３６】
逆止弁４は、上流側に向けたパッキン部４１が挟み付けられ、配管内に固定されている。この逆止弁４の一部分で、パッキン部４１から下流側に伸びる筒状の部分、つまり、コイルバネと弁体４２や弁座４３等からなる弁本体部４５は、ソケット７の内部に挿し込まれている。
このように、水道開栓後の逆止弁４は、弁本体部４５を下流側、パッキン部４１を上流側とした向きで取り付けられている。この逆止弁の向きは、逆流防止のために通常使用される場合と同じ向きである。
【００３７】
ここで、逆止弁４の弁体４２は、コイルバネによって上流側に付勢されているが、この付勢力よりも上流からの水圧の作用のほうが大きいため、下流に押されて移動し、弁座４３から離れている。弁体４２が弁座４３から離れて出来た隙間から、水が下流へ流れている。
断水等によって、下流側の水圧のほうが高くなると、下流からの水圧とコイルバネの付勢によって、弁体４２が上流側に押されて移動し、弁座４３に当接して止まり、下流からの流れ（逆流）を遮断する。
【００３８】
図３は、本発明の第１の実施形態における水道メータ付近の給水管の全体図で、（ａ）は開栓前の状態、（ｂ）は開栓後のものである。
【００３９】
つぎに、第２の実施形態について、図を使って説明する。なお、前述した給水管の配管と共通する部材については、同じ符号を付して詳細な説明を省略する。
図４は、本発明の第２の実施形態における水道メータの配管全体図であり、（ａ）は開栓前、（ｂ）は開栓後の図である。
【００４０】
水道開栓前、逆止弁４は、パッキン部４１が下流側に向いた状態で、そのパッキン部４１が流入口３１と伸縮ソケット２の間に挟まれることで、配管に固定されている。この逆止弁の設置向きは、逆流防止のために通常使用される場合とは反対の向きとなっている。そのため、この逆止弁４が、水道メータ３に上流から水が流入するのを防いでいる。
【００４１】
水道開栓を行うときは、止水栓１を閉じて水を止めてから、逆止弁４を一旦取り出す。そして、取り出した逆止弁を、パッキン部４１が上流側に向くように反転させてから、同じ場所に付け直す。逆止弁の付け直しが終われば、止水栓のハンドルを回して通水（開栓）する。
【００４２】
水道開栓後、逆止弁４は、パッキン部４１を上流側に向け、流入口３１と伸縮ソケット２の間にパッキン部４１が挟まれることで配管に固定されている。この逆止弁の向きは、逆流防止のために通常使用される場合と同じ向きとなっている。よって、この逆止弁４は、上流からの水は通すが、下流からの逆流は防ぐものとなっている。
【００４３】
続いて、第３の実施形態について、図を使って説明する。なお、前述した給水管の配管と共通する部材については、同じ符号を付して詳細な説明を省略する。
図５は、本発明の第３の実施形態における水道メータの配管全体図であり、（ａ）は開栓前、（ｂ）は開栓後の図である。
【００４４】
水道開栓前、逆止弁４は、パッキン部４１を下流側に向け、流出口３２とソケット７の間にそのパッキン部４１が挟まれることで固定されている。この逆止弁の設置向きは、逆流防止のために通常使用される場合とは反対の向きとなっている。そのため、この逆止弁４が、水道メータ３から下流に水が流れ出るのを防いでいる。その結果、水道メータ３へ上流から水が流入することがない。
【００４５】
水道開栓を行うときは、止水栓１を閉じて水を止めてから、逆止弁４を一旦取り出す。そして、取り出した逆止弁を、パッキン部４１が上流側に向くように反転させてから、元の場所に付け直す。逆止弁の付け直しが終われば、止水栓のハンドル１４を回して通水（開栓）する。
【００４６】
水道開栓後の逆止弁４は、パッキン部４１を上流側に向け、流出口３２とソケット７の間にパッキン部４１が挟まれることで配管に固定されている。この逆止弁の向きは、逆流防止のために通常使用される場合と同じ向きとなっている。よって、この逆止弁４は、水道メータ３から下流に流れ出る水は通すが、下流から水道メータ７への逆流は防ぐものとなっている。
【符号の説明】
【００４７】
１、８  ハンドル式ボール止水栓（止水栓）
２  伸縮ソケット
３  水道メータ
４  パッキン一体型逆止弁（逆止弁）
５、５’  袋ナット
６、６’  パッキン
７  ソケット
９  キャップ
１０  保護キャップ
１１  栓棒
１２  栓棒押さえ
１３  ハンドル軸
１４  ハンドル
１５  継ぎ手部
１６  縮径部
２１、７１  突条
２２  先端
３１  流入口
３２  流出口
４１  パッキン部
４２  弁体
４３  弁座
４５  弁本体部
５１、５２  鍔
【図１】
2012057323.tif 000003
【図２】
2012057323.tif 000004
【図３】
2012057323.tif 000005
【図４】
2012057323.tif 000006
【図５】
2012057323.tif 000007
【図６】
2012057323.tif 000008